(57)【特許請求の範囲】
【請求項１】
放送チャンネルが割当てられた所定周波数帯域の信号で配信される地上波及びケーブル波の放送信号が受信可能な受信手段と、前記受信手段で受信した放送信号に含まれる映像信号を基に、本装置に接続されるテレビモニタへ前記映像信号による映像を映し出すための信号を生成するデコーダと、所定のアルゴリズムに従い前記地上波及びケーブル波の放送信号の前記受信手段による受信を試み、その受信状況に基づいて前記放送信号の伝送経路が地上波であるかケーブル波であるかを自動的に判別すると共に、全周波数帯域に亘って何れの周波数帯域において前記放送信号が前記受信手段により受信されるかを検出することにより、前記放送信号が配信されている放送チャンネルを自動的に検出する全域スキャン手段と、前記全域スキャン手段により検出した放送チャンネルを記憶するチャンネルマップとを備えたデジタル／アナログ放送受像装置において、
前記全域スキャン手段は、
前記地上波デジタル放送信号について全周波数帯域に亘って前記放送信号が配信されているデジタル放送チャンネルを検出し、デジタル放送チャンネルが１つ以上検出された場合は、前記放送信号の伝送経路が地上波であると判断し、デジタル放送チャンネルが１つも検出されなかった場合は、前記放送信号の伝送経路がケーブル波であると判断する伝送経路判断手段と、
前記判断手段により地上波であると判断されたとき、地上波アナログ放送信号について前記検出されたチャンネル及び前記チャンネル検出時に放送信号中のＶＣＴ（Virtual Channel Table）により情報を得たチャンネルを省いた周波数帯域に亘って前記放送信号が配信されている放送チャンネルを検出し、前記判断手段によりケーブル波であると判断されたとき、ケーブル波について全周波数帯域に亘って前記放送信号が配信されている放送チャンネルを検出するチャンネル検出手段と、
を備えたことを特徴とする放送チャンネルの高速全域スキャン機能を備えたデジタル／アナログ放送受像装置。
【請求項２】
放送チャンネルが割当てられた所定周波数帯域の信号で配信される地上波及びケーブル波の放送信号が受信可能な受信手段と、前記受信手段で受信した放送信号に含まれる映像信号を基に、本装置に接続されるテレビモニタへ前記映像信号による映像を映し出すための信号を生成するデコーダと、所定のアルゴリズムに従い前記地上波及びケーブル波の放送信号の前記受信手段による受信を試み、その受信状況に基づいて前記放送信号の伝送経路が地上波であるかケーブル波であるかを自動的に判別すると共に、全周波数帯域に亘って何れの周波数帯域において前記放送信号が前記受信手段により受信されるかを検出することにより、前記放送信号が配信されている放送チャンネルを自動的に検出する全域スキャン手段と、前記全域スキャン手段により検出した放送チャンネルを記憶するチャンネルマップとを備えたデジタル／アナログ放送受像装置において、
前記全域スキャン手段は、
前記地上波デジタル放送信号について全周波数帯域に亘って前記放送信号が配信されているデジタル放送チャンネルを検出し、デジタル放送チャンネルが１つ以上検出された場合は、前記放送信号の伝送経路が地上波であると判断し、デジタル放送チャンネルが１つも検出されなかった場合は、前記放送信号の伝送経路がケーブル波であると判断する伝送経路判断手段と、
前記判断手段により地上波であると判断されたとき、地上波アナログ放送信号について全周波数帯域に亘って前記放送信号が配信されている放送チャンネルを検出し、前記判断手段によりケーブル波であると判断されたとき、ケーブル波について全周波数帯域に亘って前記放送信号が配信されている放送チャンネルを検出するチャンネル検出手段と、
を備えたことを特徴とする放送チャンネルの高速全域スキャン機能を備えたデジタル／アナログ放送受像装置。
【請求項３】
前記チャンネル検出手段は、前記地上波アナログ放送チャンネルの検出において、前記検出されたデジタル放送チャンネルについては、その検出処理を省略することを特徴とする請求項２に記載の放送チャンネルの高速全域スキャン機能を備えたデジタル／アナログ放送受像装置。
【請求項４】
前記チャンネル検出手段は、前記地上波アナログ放送チャンネルの検出において、前記デジタル放送チャンネルの検出時に、放送信号中に含まれるＶＣＴ（Virtual Channel Table）により前記地上波アナログ放送チャンネルの情報を得たチャンネルについては、その検出処理を省略することを特徴とする請求項２に記載の放送チャンネルの高速全域スキャン機能を備えたデジタル／アナログ放送受像装置。
【請求項５】
放送チャンネルが割当てられた所定周波数帯域の信号で配信される地上波及びケーブル波の放送信号が受信可能な受信手段と、前記受信手段で受信した放送信号に含まれる映像信号を基に、本装置に接続されるテレビモニタへ前記映像信号による映像を映し出すための信号を生成するデコーダと、所定のアルゴリズムに従い前記地上波及びケーブル波の放送信号の前記受信手段による受信を試み、その受信状況に基づいて前記放送信号の伝送経路が地上波であるかケーブル波であるかを自動的に判別すると共に、全周波数帯域に亘って何れの周波数帯域において前記放送信号が前記受信手段により受信されるかを検出することにより、前記放送信号が配信されている放送チャンネルを自動的に検出する全域スキャン手段と、前記全域スキャン手段により検出した放送チャンネルを記憶するチャンネルマップとを備えたデジタル／アナログ放送受像装置において、
前記全域スキャン手段は、
前記地上波デジタル放送信号について全周波数帯域に亘って前記放送信号が配信されているデジタル放送チャンネルを検出しデジタル放送チャンネルが１つ以上検出された場合は、前記放送信号の伝送経路が地上波であると判断し、デジタル放送チャンネルが１つも検出されなかった場合は、所定のアルゴリズムに従い前記地上波アナログ放送信号及びケーブル波アナログ放送信号の前記受信手段による受信を試み、その受信状況に基づいて前記放送信号の伝送経路が地上波であるかケーブル波であるかを判断する伝送経路判断手段と、
前記判断手段により判断された伝送経路での放送信号について全周波数帯域に亘って前記放送信号が配信されている放送チャンネルを検出するチャンネル検出手段と、
を備えたことを特徴とする放送チャンネルの高速全域スキャン機能を備えたデジタル／アナログ放送受像装置。
【発明の詳細な説明】
【０００１】
【発明の属する技術分野】
本発明は、放送信号の伝送経路を自動的に判別すると共に、受信可能な放送チャンネルを自動的に設定する全域スキャン機能を備えたデジタル／アナログ放送受像装置に関する。
【０００２】
【従来の技術】
従来、テレビ放送信号の伝送経路としては、地上波によるものとケーブル波によるものがあり、これら地上波で伝送される放送信号とケーブル波で伝送される放送信号の両方を受信できる放送受像装置が存在する。このような放送受像装置においては、地上波とケーブル波とで放送信号の周波数帯域が異なる場合、装置自身が放送信号の伝送経路を知る必要がある。そこで、このような地上波とケーブル波の放送信号を受信できる放送受像装置において、放送局から配信される放送信号を検出して、放送信号の伝送経路を自動的に判断すると共に、受信可能な放送信号のチャンネルを自動的に設定する全域スキャン機能を備えたものが知られている。
【０００３】
この従来の放送受像装置における全域スキャンでは、地上波とケーブル波の両方について、全周波数帯域のチャンネルに亘って交互に順番に放送信号の有無を検出してゆき、途中、放送信号の有無の検出状況に基づいて、放送信号の伝送経路が地上波であるかケーブル波であるかを判断していた。そして、放送信号の伝送経路を判断した以降は、その伝送経路において、全周波数帯域のチャンネルに亘って放送信号の有無を検出し、受信可能なチャンネルを設定していた。
【０００４】
一方、地上波テレビ放送及びケーブルテレビ放送の判別方法に関し、同一チャンネル番号に対応する周波数が互いに等しい所定のチャンネルについてのみ、放送の有局無局を判別し、その判別結果から受信機による受信信号が地上波テレビ放送であるかＣＡＴＶ放送であるかを判別するようにしたものが知られている（例えば、特開平１０−２３３９７０号公報参照）。また、ディジタル放送受信機のチャンネル検出方法に関し、放送チャンネルの全てに対するＰＳＫロック検出回数及び占有帯域内の全放送チャンネル内に対するフレーム同期検出回数を可能な限り低減することで、放送周波数帯域内の受信チャンネルを迅速に検出するものが知られている（例えば、特開２０００−３１２１３４号公報参照）。
【０００５】
【発明が解決しようとする課題】
ところが、上述した従来の放送受像装置における全域スキャンでは、放送信号の伝送経路を判断するにあたって、地上波とケーブル波の両方について、幾つかのチャンネルについて放送信号の有無を検出する必要があった。このため、放送信号の伝送経路を判断するのに時間がかかってしまい、全域スキャンを完了するまでに時間がかかっていた。
【０００６】
また、例えばアメリカ合衆国では、２００１年現在、地上波においてはアナログ放送とデジタル放送が共存し、ケーブル波においてはアナログ放送が存在している。このような環境のもと、地上波の放送信号とケーブル波の放送信号を受信でき、また、地上波の放送信号としてはデジタル放送信号とアナログ放送信号を受信できる放送受像装置に関し、全域スキャンのより一層の高速化が求められている。なお、上述した特開平１０−２３３９７０号公報、及び特開２０００−３１２１３４号公報に記載の内容を適用したとしても、上述の課題を解決することはできない。
【０００７】
本発明は、上記課題を解決するためになされたものであり、地上波の放送信号とケーブル波の放送信号を受信でき、また、地上波の放送信号としてはデジタル放送信号とアナログ放送信号を受信できる放送受像装置に関し、全域スキャン処理をより短時間で行うことができるデジタル／アナログ放送受像装置を提供することを目的とする。
【０００８】
【課題を解決するための手段】
上記目的を達成するために請求項１の発明は、放送チャンネルが割当てられた所定周波数帯域の信号で配信される地上波及びケーブル波の放送信号が受信可能な受信手段と、前記受信手段で受信した放送信号に含まれる映像信号を基に、本装置に接続されるテレビモニタへ前記映像信号による映像を映し出すための信号を生成するデコーダと、所定のアルゴリズムに従い前記地上波及びケーブル波の放送信号の前記受信手段による受信を試み、その受信状況に基づいて前記放送信号の伝送経路が地上波であるかケーブル波であるかを自動的に判別すると共に、全周波数帯域に亘って何れの周波数帯域において前記放送信号が前記受信手段により受信されるかを検出することにより、前記放送信号が配信されている放送チャンネルを自動的に検出する全域スキャン手段と、前記全域スキャン手段により検出した放送チャンネルを記憶するチャンネルマップとを備えたデジタル／アナログ放送受像装置において、前記全域スキャン手段は、前記地上波デジタル放送信号について全周波数帯域に亘って前記放送信号が配信されているデジタル放送チャンネルを検出し、デジタル放送チャンネルが１つ以上検出された場合は、前記放送信号の伝送経路が地上波であると判断し、デジタル放送チャンネルが１つも検出されなかった場合は、前記放送信号の伝送経路がケーブル波であると判断する伝送経路判断手段と、前記判断手段により地上波であると判断されたとき、地上波アナログ放送信号について前記検出されたチャンネル及び前記チャンネル検出時に放送信号中のＶＣＴ（Virtual Channel Table）により情報を得たチャンネルを省いた周波数帯域に亘って前記放送信号が配信されている放送チャンネルを検出し、前記判断手段によりケーブル波であると判断されたとき、ケーブル波について全周波数帯域に亘って前記放送信号が配信されている放送チャンネルを検出するチャンネル検出手段と、を備えたものである。
【０００９】
この構成においては、全域スキャン処理は、まず、地上波デジタル放送信号について、全周波数帯域に亘って放送信号の検出が行われる。ここで、デジタル放送信号が１チャンネル以上検出された場合には、この時点で、放送信号の伝送経路が地上波であると判断されると共に、受信可能なデジタル放送のチャンネルがチャンネルマップに記憶設定される。そして、次に地上波アナログ放送信号について、デジタル放送信号を検出したチャンネル及びデジタル放送信号中のＶＣＴ（Virtual Channel Table）により情報を得たチャンネルを省いた周波数帯域に亘って放送信号の検出が行われ、受信可能な地上波アナログ放送のチャンネルがチャンネルマップに記憶設定される。また、デジタル放送信号が１チャンネルも検出されなかった場合には、この時点で、放送信号の伝送経路がケーブル波であると判断される。そして、次にケーブル波アナログ放送信号について、全周波数帯域に亘って放送信号の検出が行われ、受信可能なケーブル波放送のチャンネルがチャンネルマップに記憶設定される。これにより、放送信号の伝送経路の判断と、受信可能チャンネルの設定が効率よく行われる。
【００１０】
請求項２の発明は、放送チャンネルが割当てられた所定周波数帯域の信号で配信される地上波及びケーブル波の放送信号が受信可能な受信手段と、前記受信手段で受信した放送信号に含まれる映像信号を基に、本装置に接続されるテレビモニタへ前記映像信号による映像を映し出すための信号を生成するデコーダと、所定のアルゴリズムに従い前記地上波及びケーブル波の放送信号の前記受信手段による受信を試み、その受信状況に基づいて前記放送信号の伝送経路が地上波であるかケーブル波であるかを自動的に判別すると共に、全周波数帯域に亘って何れの周波数帯域において前記放送信号が前記受信手段により受信されるかを検出することにより、前記放送信号が配信されている放送チャンネルを自動的に検出する全域スキャン手段と、前記全域スキャン手段により検出した放送チャンネルを記憶するチャンネルマップとを備えたデジタル／アナログ放送受像装置において、前記全域スキャン手段は、前記地上波デジタル放送信号について全周波数帯域に亘って前記放送信号が配信されているデジタル放送チャンネルを検出し、デジタル放送チャンネルが１つ以上検出された場合は、前記放送信号の伝送経路が地上波であると判断し、デジタル放送チャンネルが１つも検出されなかった場合は、前記放送信号の伝送経路がケーブル波であると判断する伝送経路判断手段と、前記判断手段により地上波であると判断されたとき、地上波アナログ放送信号について全周波数帯域に亘って前記放送信号が配信されている放送チャンネルを検出し、前記判断手段によりケーブル波であると判断されたとき、ケーブル波について全周波数帯域に亘って前記放送信号が配信されている放送チャンネルを検出するチャンネル検出手段と、を備えたものである。
【００１１】
この構成においては、全域スキャン処理は、まず、地上波デジタル放送信号について、全周波数帯域に亘って放送信号の検出が行われる。ここで、デジタル放送信号が１チャンネル以上検出された場合には、この時点で、放送信号の伝送経路が地上波であると判断されると共に、受信可能なデジタル放送のチャンネルがチャンネルマップに記憶設定される。そして、次に地上波アナログ放送信号について、全周波数帯域に亘って放送信号の検出が行われ、受信可能な地上波アナログ放送のチャンネルがチャンネルマップに記憶設定される。また、デジタル放送信号が１チャンネルも検出されなかった場合には、この時点で、放送信号の伝送経路がケーブル波であると判断される。そして、次にケーブル波アナログ放送信号について、全周波数帯域に亘って放送信号の検出が行われ、受信可能なケーブル波放送のチャンネルがチャンネルマップに記憶設定される。これにより、放送信号の伝送経路の判断と、受信可能チャンネルの設定が効率よく行われる。
【００１２】
請求項３の発明は、請求項２に記載の放送チャンネルの高速全域スキャン機能を備えたデジタル／アナログ放送受像装置において、チャンネル検出手段は、地上波アナログ放送チャンネルの検出において、検出されたデジタル放送チャンネルについては、その検出処理を省略するものである。この構成においては、地上波アナログ放送信号についてのチャンネル検出が効率よく行われる。
【００１３】
請求項４の発明は、請求項２又は請求項３に記載の放送チャンネルの高速全域スキャン機能を備えたデジタル／アナログ放送受像装置において、チャンネル検出手段は、地上波アナログ放送チャンネルの検出において、デジタル放送チャンネルの検出時に、放送信号中に含まれるＶＣＴ（Virtual Channel Table）により地上波アナログ放送チャンネルの情報を得たチャンネルについては、その検出処理を省略するものである。この構成においては、請求項３と同様の作用が得られる。
【００１４】
請求項５の発明は、放送チャンネルが割当てられた所定周波数帯域の信号で配信される地上波及びケーブル波の放送信号が受信可能な受信手段と、前記受信手段で受信した放送信号に含まれる映像信号を基に、本装置に接続されるテレビモニタへ前記映像信号による映像を映し出すための信号を生成するデコーダと、所定のアルゴリズムに従い前記地上波及びケーブル波の放送信号の前記受信手段による受信を試み、その受信状況に基づいて前記放送信号の伝送経路が地上波であるかケーブル波であるかを自動的に判別すると共に、全周波数帯域に亘って何れの周波数帯域において前記放送信号が前記受信手段により受信されるかを検出することにより、前記放送信号が配信されている放送チャンネルを自動的に検出する全域スキャン手段と、前記全域スキャン手段により検出した放送チャンネルを記憶するチャンネルマップとを備えたデジタル／アナログ放送受像装置において、前記全域スキャン手段は、前記地上波デジタル放送信号について全周波数帯域に亘って前記放送信号が配信されているデジタル放送チャンネルを検出しデジタル放送チャンネルが１つ以上検出された場合は、前記放送信号の伝送経路が地上波であると判断し、デジタル放送チャンネルが１つも検出されなかった場合は、所定のアルゴリズムに従い前記地上波アナログ放送信号及びケーブル波アナログ放送信号の前記受信手段による受信を試み、その受信状況に基づいて前記放送信号の伝送経路が地上波であるかケーブル波であるかを判断する伝送経路判断手段と、前記判断手段により判断された伝送経路での放送信号について全周波数帯域に亘って前記放送信号が配信されている放送チャンネルを検出するチャンネル検出手段と、を備えたものである。
【００１５】
この構成においては、全域スキャン処理は、デジタル放送信号が１チャンネルも検出されなかった場合には、地上波アナログ放送信号とケーブル波アナログ放送信号の受信状況に基づいて放送信号の伝送経路が判断される。これにより、放送信号の伝送経路が地上波であるにも拘らず、何らかの事情によりデジタル放送信号が受信できなかった場合に、放送信号の伝送経路が誤って判断されることがない。
【００１６】
【発明の実施の形態】
以下、本発明を具体化した実施形態について図面を参照して説明する。まず、第１の実施形態によるデジタル／アナログ放送受像装置の電気的ブロック構成を図１に示す。デジタル／アナログ放送受像装置１には、地上波テレビ放送信号を受信するためのアンテナ２０と、ケーブル波テレビ放送信号を受信するためのケーブル３０と、テレビ放送の映像を映し出すためのテレビモニタ４０が接続される。
【００１７】
放送受像装置１は、放送局から配信される地上波のデジタル放送信号とアナログ放送信号、及びケーブル波のアナログ放送信号をアンテナ２０を介して受信し、これらの放送信号により配信されるテレビ番組の映像をテレビモニタ４０に映し出すための装置である。放送受像装置１は、放送信号の伝送経路が地上波であるかケーブル波であるかの判断、及び受信可能な放送チャンネルの設定を自動的に行う全域スキャン機能を備えている。
【００１８】
放送受像装置１は、リモコン２と、リモコン受信部３と、チューナ（受信手段）４と、デコーダ５と、ＯＳＤ回路６と、ＲＯＭ７と、メモリ（チャンネルマップ）８と、制御部（全域スキャン手段）９とから構成されている。
【００１９】
リモコン２は、視聴するテレビ番組のチャンネル選局、全域スキャン、及び放送受像装置１の各種操作を行うときにユーザにより操作され、操作に応じた赤外線信号等の無線信号を送出する。リモコン受信部３は、リモコン２から送出された信号を受信し、リモコン２の操作に応じた信号を制御部９へ出力する。
【００２０】
チューナ４は、受信周波数が制御部９によりチューニングされることで、その周波数帯域のテレビ放送信号を受信する。デコーダ５は、チューナ４で受信したテレビ放送信号を復調・復号して、テレビモニタ４０にテレビ番組の映像を表示させるための信号を生成する。デコーダ５から出力された映像信号は、ＯＳＤ回路６を介してテレビモニタ４０へ出力される。なお、デコーダ５は、地上波デジタル放送信号を受信した場合には、放送信号に含まれているＶＣＴ（Virtual Channel Table）と呼ばれるチャンネル情報、及びＥＩＴ（Event Information Table）と呼ばれる電子番組情報を抽出して制御部９へ出力する。
【００２１】
ＯＳＤ回路６は、デコーダ５から出力される映像信号に所定のオンスクリーン表示データを重畳する。これにより、テレビモニタ４０には、テレビ番組の映像にオンスクリーン表示データによる画像が重ねて表示される。
【００２２】
ＲＯＭ７には、全域スキャン処理に必要な地上波放送信号とケーブル波放送信号の全ての周波数帯域が、それら周波数帯域に割当てられるチャンネル番号と共に記憶されている。例えばアメリカにおいては、地上波放送信号には「２」〜「９９」のチャンネル番号が割当てられ、ケーブル波放送信号には「１」〜「１２５」のチャンネル番号が割当てられている。ＲＯＭ７には、地上波放送とケーブル波放送の各々に対して、放送信号の全ての周波数帯域がこれらのチャンネル番号と対応付けて記憶されている。
【００２３】
メモリ８には、チャンネルマップが格納されている。チャンネルマップには、全域スキャンにより検出した受信可能な放送信号のチャンネル番号が、そのチャンネル番号が割当てられている周波数等のチャンネル選局に必要なデータと共に記憶される。制御部９は、上記各部を制御し、リモコン２の操作に応じて、視聴するテレビ番組のチャンネル選局、全域スキャン、及びその他の各種動作を実行させる。
【００２４】
放送受像装置１は、リモコン２により全域スキャンをするための操作が行われると、制御部９による制御のもと、全域スキャン処理を実行する。全域スキャン処理では、放送信号の伝送経路が判断されると共に、受信可能な放送チャンネルが検出され、その放送チャンネルにおけるチャンネル番号と周波数等のチャンネル選局に必要なデータがメモリ８のチャンネルマップに記憶設定される。全域スキャンの詳細については後述する。
【００２５】
また、放送受像装置１は、リモコン２によりチャンネルの選局操作が行われると、制御部９が、そのチャンネル番号に対応する周波数データをメモリ８のチャンネルマップから読出して、チューナ４の受信周波数をその周波数となるよう制御する。これにより、リモコン２により選局されたチャンネルの放送信号がチューナ４で受信され、受信された放送信号がデコーダ５で復調・復号されて、テレビモニタ４０にテレビ番組の映像が表示される。
【００２６】
また、放送受像装置１は、リモコン２によりテレビ番組の一覧から成るＥＰＧ画面の表示操作が行われると、制御部９が、メモリ８のチャンネルマップに記憶されている受信可能なチャンネル番号、及びデコーダ５から出力されるＶＣＴとＥＩＴを基にＥＰＧ画面の表示画像を作成し、その画像信号をＯＳＤ回路６へ出力する。これにより、テレビモニタ４０にテレビ番組の一覧から成るＥＰＧ画面が表示される。
【００２７】
次に、本実施形態によるデジタル／アナログ放送受像装置１の全域スキャン処理について、図２乃至図４のフローチャートを参照して説明する。全域スキャン処理は、まず、地上波デジタル放送について、全周波数帯域に亘って放送信号の検出処理を行う（＃１）。そして、地上波デジタル放送信号を１チャンネル以上検出できた場合には（＃２でＹＥＳ）、放送信号の伝送経路が地上波であると判断し、次に、地上波アナログ放送信号について全周波数帯域に亘って放送信号の検出処理を行う（＃３）。また、地上波デジタル放送信号を１チャンネルも検出できなかった場合には（＃２でＮＯ）、放送信号の伝送経路がケーブル波であると判断し、次に、ケーブル波放送信号について全周波数帯域に亘って放送信号の検出処理を行う（＃４）。
【００２８】
次に、上記＃１における地上波デジタル放送についての全周波数帯域に亘る放送信号の検出処理について、図３のフローチャートを参照して説明する。まず、制御部９は、チャンネル番号ｎを「２」とし（＃１１）、ＲＯＭ７に記憶されている地上波放送のチャンネル番号「２」が割当てられている周波数データに基づいて、チューナ４の受信周波数をチャンネル番号「２」の周波数帯域にチューニングする（＃１２）。
【００２９】
そして、制御部９は、そのときデコーダ５から出力される信号を基に地上波デジタル放送信号の検出を行い、地上波デジタル放送を検出した場合には（＃１３でＹＥＳ）、チャンネル番号「２」を、その地上波デジタル放送信号の周波数等のチャンネル選局に必要なデータと共に、メモリ８のチャンネルマップに設定登録する（＃１４）。
【００３０】
ここで、全周波数帯域のチャンネルについて調べ終えていなければ（＃１５でＮＯ）、チャンネル番号を１つ増やして（＃１６）、上記＃１２からの処理を繰り返し、全周波数帯域のチャンネルについて調べ終えれば（＃１５でＹＥＳ）、地上波デジタル放送についての放送信号の検出処理を終了する。
【００３１】
次に、上記＃３における地上波アナログ放送についての全周波数帯域に亘る放送信号の検出処理について、図４のフローチャートを参照して説明する。まず、制御部９は、チャンネル番号ｎを「２」とし（＃２１）、チャンネル番号「２」で地上波デジタル放送を検出済みか判断する（＃２２）。そして、地上波デジタル放送が検出済みでなければ（＃２２でＮＯ）、制御部９は、ＲＯＭ７に記憶されている地上波放送のチャンネル番号「２」が割当てられている周波数データに基づいて、チューナ４の受信周波数をチャンネル番号「２」の周波数帯域にチューニングする（＃２３）。
【００３２】
そして、制御部９は、そのときデコーダ５から出力される信号を基に地上波アナログ放送信号の検出を行い、地上波アナログ放送信号を検出した場合には（＃２４でＹＥＳ）、チャンネル番号「２」を、その地上波アナログ放送信号の周波数等のチャンネル選局に必要なデータと共に、メモリ８のチャンネルマップに設定登録する（＃２５）。
【００３３】
ここで、全周波数帯域のチャンネルについて調べ終えていなければ（＃２６でＮＯ）、チャンネル番号を１つ増やして（＃２７）、上記＃２２からの処理を繰り返し、全周波数帯域のチャンネルについて調べ終えれば（＃２６でＹＥＳ）、地上波アナログ放送についての放送信号の検出処理を終了する。
【００３４】
次に、上記＃４におけるケーブル波アナログ放送についての全周波数帯域に亘る放送信号の検出処理について説明する。ケーブル波アナログ放送についての検出処理では、ＲＯＭ７に記憶されているケーブル波放送の周波数データに基づいて、上記地上波デジタル放送で行ったのと同様の処理を行う。
【００３５】
次に、第２の実施形態によるデジタル／アナログ放送受像装置について説明する。本実施形態の全域スキャン処理では、地上波アナログ放送についての全周波数帯域に亘る放送信号の検出処理において、地上波デジタル放送信号の検出時にデジタル放送信号に含まれるＶＣＴから得た地上波アナログ放送のチャンネルについては、その検出処理を省略する。他の構成については、上記実施形態の構成と同様である。
【００３６】
本実施形態の全域スキャン処理における、地上波アナログ放送についての全周波数帯域に亘る放送信号の検出処理について、図５のフローチャートを参照して説明する。まず、制御部９は、チャンネル番号ｎを「２」とし（＃３１）、チャンネル番号「２」に地上波アナログ放送信号があることを地上波デジタル放送のＶＣＴにて確認済みか判断する（＃３２）。
【００３７】
そして、確認済みであれば（＃３２でＹＥＳ）、制御部９は、チャンネル番号「２」を、その地上波アナログ放送信号の周波数等のチャンネル選局に必要なデータと共に、メモリ８のチャンネルマップに設定登録する（＃３５）。また、確認済みでなければ（＃３２でＮＯ）、制御部９は、ＲＯＭ７に記憶されている地上波放送のチャンネル番号「２」が割当てられている周波数データに基づいて、チューナ４の受信周波数をチャンネル番号「２」の周波数帯域にチューニングする（＃３３）。そして、制御部９は、そのときデコーダ５から出力される信号を基に地上波アナログ放送信号の検出を行い、地上波アナログ信号を検出した場合には（＃３４でＹＥＳ）、チャンネル番号「２」を、その地上波アナログ放送信号の周波数等のチャンネル選局に必要なデータと共に、メモリ８のチャンネルマップに設定登録する（＃３５）。
【００３８】
ここで、全周波数帯域のチャンネルについて調べ終えていなければ（＃３６でＮＯ）、チャンネル番号を１つ増やして（＃３７）、上記＃３２からの処理を繰り返し、全周波数帯域のチャンネルについて調べ終えれば（＃３６でＹＥＳ）、地上波アナログ放送についての放送信号の検出処理を終了する。
【００３９】
次に、第３の実施形態によるデジタル／アナログ放送受像装置について説明する。本実施形態の全域スキャン処理では、地上波アナログ放送についての全周波数帯域に亘る放送信号の検出処理において、地上波デジタル放送信号を検出したチャンネルについては、その検出処理を省略する。また、地上波デジタル放送信号の検出時にデジタル放送信号に含まれるＶＣＴから得た地上波アナログ放送のチャンネルについても、その検出処理を省略する。他の構成については、上記実施形態の構成と同様である。
【００４０】
本実施形態の全域スキャン処理における、地上波アナログ放送についての全周波数帯域に亘る放送信号の検出処理について、図６のフローチャートを参照して説明する。まず、制御部９は、チャンネル番号ｎを「２」とし（＃４１）、チャンネル番号「２」で地上波デジタル放送を検出済みか判断する（＃４２）。そして、地上波デジタル放送が検出済みでなければ（＃４２でＮＯ）、次に、チャンネル番号「２」に地上波アナログ放送信号があることを地上波デジタル放送のＶＣＴにて確認済みか判断する（＃４３）。
【００４１】
そして、確認済みであれば（＃４３でＹＥＳ）、制御部９は、チャンネル番号「２」を、その地上波アナログ放送信号の周波数等のチャンネル選局に必要なデータと共に、メモリ８のチャンネルマップに設定登録する（＃４６）。また、確認済みでなければ（＃４３でＮＯ）、制御部９は、ＲＯＭ７に記憶されている地上波放送のチャンネル番号「２」が割当てられている周波数データに基づいて、チューナ４の受信周波数をチャンネル番号「２」の周波数帯域にチューニングする（＃４４）。そして、制御部９は、そのときデコーダ５から出力される信号を基に地上波アナログ放送信号の検出を行い、地上波アナログ放送信号を検出した場合には（＃４５でＹＥＳ）、チャンネル番号「２」を、その地上波アナログ放送信号の周波数等のチャンネル選局に必要なデータと共に、メモリ８のチャンネルマップに設定登録する（＃４６）。
【００４２】
ここで、全周波数帯域のチャンネルについて調べ終えていなければ（＃４７でＮＯ）、チャンネル番号を１つ増やして（＃４８）、上記＃４２からの処理を繰り返し、全周波数帯域のチャンネルについて調べ終えれば（＃４７でＹＥＳ）、地上波アナログ放送についての放送信号の検出処理を終了する。
【００４３】
次に、第４の実施形態によるデジタル／アナログ放送受像装置について説明する。本実施形態の全域スキャン処理では、地上波デジタル放送信号を１チャンネルも検出できなかった場合には、地上波アナログ放送とケーブル波アナログ放送の両方について、全周波数帯域のチャンネルに亘って交互に順番に放送信号を検出してゆく。そして、途中、放送信号の検出状況に基づいて、放送信号の伝送経路が地上波であるかケーブル波であるかを判断し、以降、その伝送経路において、全周波数帯域に亘って放送信号の検出処理を行う。他の構成については、上記実施形態の構成と同様である。
【００４４】
本実施形態における全域スキャン処理について、図７のフローチャートを参照して説明する。全域スキャン処理は、まず、地上波デジタル放送について、全周波数帯域に亘って放送信号の検出処理を行う（＃５１）。
【００４５】
そして、地上波デジタル放送信号を１チャンネルも検出できなかった場合には（＃５２でＮＯ）、地上波アナログ放送とケーブル波アナログ放送の両方について、全周波数帯域のチャンネルに亘って交互に順番に放送信号を検出してゆく（＃５４）。そして、途中、放送信号の検出状況に基づいて、放送信号の伝送経路が地上波であるかケーブル波であるかを判断し、以降、その伝送経路において、全周波数帯域に亘って放送信号の検出処理を行う。
【００４６】
また、地上波デジタル放送信号を１チャンネル以上検出できた場合には（＃５２でＹＥＳ）、上記実施形態と同様に、放送信号の伝送経路が地上波であると判断し、次に、地上波アナログ放送信号について全周波数帯域に亘って放送信号の検出処理を行う（＃５３）。
【００４７】
【発明の効果】
以上説明したように請求項１の発明によれば、地上波放送信号のうちデジタル放送信号を検出して放送信号の伝送経路を判断するため、放送信号の伝送経路の判断と受信可能チャンネルの設定を効率よく行うことができ、これにより、全域スキャン処理を短時間で行うことができる。また、デジタル放送のチャンネル及びデジタル放送信号のＶＣＴにより得たチャンネルを省いて地上波アナログ放送信号の検出を行うため、地上波アナログ放送信号についての受信可能チャンネルの設定が効率的に行われる。これにより、全域スキャン処理を短時間で行うことができる。
【００４８】
請求項２の発明によれば、地上波放送信号のうちデジタル放送信号を検出して放送信号の伝送経路を判断するため、放送信号の伝送経路の判断と受信可能チャンネルの設定が効率的に行われる。
【００４９】
請求項３の発明によれば、デジタル放送のチャンネルを省いて地上波アナログ放送信号の検出を行うため、地上波アナログ放送信号についての受信可能チャンネルの設定がより効率的に行われ、全域スキャン処理をより短時間で行うことができる。
【００５０】
請求項４の発明によれば、デジタル放送信号のＶＣＴにより得たチャンネルを省いて地上波アナログ放送信号の検出を行うため、地上波アナログ放送信号についての受信可能チャンネルの設定がより効率的に行われ、全域スキャン処理をより短時間で行うことができる。
【００５１】
請求項５の発明によれば、地上波放送信号のうちデジタル放送信号を検出して放送信号の伝送経路を判断するため、放送信号の伝送経路の判断と受信可能チャンネルの設定が効率的に行われ、これにより、全域スキャン処理を短時間で行うことができる。また、デジタル放送信号が検出されなかった場合は、地上波アナログ放送とケーブル波放送の受信状況により放送信号の伝送経路を判断するため、放送信号の伝送経路が誤って判断されることがなく、誤動作を防ぐことができる。
【図面の簡単な説明】
【図１】  本発明の一実施形態によるデジタル／アナログ放送受像機の概略構成を示す電気的ブロック構成図。
【図２】  同装置の全域スキャン処理を示すフローチャート。
【図３】  同装置の全域スキャン処理を示すフローチャート。
【図４】  同装置の全域スキャン処理を示すフローチャート。
【図５】  本発明の別の実施形態による全域スキャン処理を示すフローチャート。
【図６】  本発明のさらに別の実施形態による全域スキャン処理を示すフローチャート。
【図７】  本発明のさらに別の実施形態による全域スキャン処理を示すフローチャート。
【符号の説明】
１    デジタル／アナログ放送受像装置
４    チューナ（受信手段）
５    デコーダ
８    メモリ（チャンネルマップ）
９    制御部（全域スキャン手段）
４０  テレビモニタ
【図１】
0003888167.tif 000002
【図２】
0003888167.tif 000003
【図３】
0003888167.tif 000004
【図４】
0003888167.tif 000005
【図５】
0003888167.tif 000006
【図６】
0003888167.tif 000007
【図７】
0003888167.tif 000008